(57)【要約】【課題】遊技客の所有する車両による車番情報および運転者の顔映像の認識に基づいて、特定の不審者を判定することにより、不正行為の防止を確実に図ることのできる不審者監視システム、不審者監視方法、不審者監視プログラムを提供する。【解決手段】遊技店の所有する駐車場内に入場する車両の撮像をおこなう第１の撮像カメラ１６０と、車両を所有する運転者の顔を撮像する第２の撮像カメラ１７０からの撮像情報を取得し、取得した撮像情報と予め監視対象となる車両の車番情報を記憶した監視対象情報データベース４８６に記憶された監視対象車番情報とを比較するとともに、車両情報と監視対象情報とが一致する場合に、スピーカ６１６などにより警報を報知する不審者監視装置４８０を備える。【選択図】        図１
2005222159.tif 000002
【特許請求の範囲】
【請求項１】
不審者の監視をおこなう不審者監視装置を備えた不審者監視システムであって、
駐車場に入場する車両を検知する車両検知手段と、
前記車両検知手段による車両の検知時に、当該車両の撮像をおこなう車両撮像手段と、
前記車両撮像手段により撮像された映像情報に基づいて、前記車両に関する車番情報であるナンバープレート番号を認識する車番情報認識手段と、
予め不審者の所有する車両の監視対象情報であるナンバープレート番号を記憶した監視対象情報データベースと、
前記車番情報認識手段により認識された車番情報と、前記監視対象情報データベース内に格納された監視対象情報との照合をおこなう車番情報照合手段と、
前記車番情報照合手段による照合結果に基づいて、前記車番情報と前記監視対象情報との一致を判定する車番情報判定手段と、
前記車番情報判定手段により、前記車番情報と前記監視対象情報とが一致する場合に、警報を報知する警報手段と
を備えることを特徴とする不審者監視システム。
【請求項２】
前記不審者監視装置は、前記車両撮像手段により撮像された撮像情報の印刷をおこなう印刷手段とを備えるとともに、前記車両撮像手段は、前記車両の運転者の顔情報を撮影する機能をさらに備え、前記車番情報判定手段による判定により、前記車番情報と前記監視対象情報とが一致した場合には、前記印刷手段により、前記撮像手段により撮像された顔情報が印刷されることを特徴とする請求項１に記載の不審者監視システム。
【請求項３】
前記車両撮像手段により撮像された車両の車番情報と運転者の顔情報とを、撮影時刻に関連付けて格納する画像情報データベースをさらに備えることを特徴とする請求項１または２に記載の不審者監視システム。
【請求項４】
前記遊技店への来店回数が多い人物を常連客として記憶する常連客情報データベースをさらに備え、当該常連客情報データベースには、前記車番情報認識手段により認識された車番情報のうち、来店回数が多い車番情報に該当する車両の所有者が常連客として格納されることを特徴とする請求項１、２または３に記載の不審者監視システム。
【請求項５】
前記常連客情報データベースには、前記車番情報判定手段により判定された不審者の所有でないと判定された車両の車番情報のうち、来店回数が多い車番情報に該当する車両の所有者が常連客として格納されることを特徴とする請求項４に記載の不審者監視システム。
【請求項６】
前記車番情報判定手段は、前記常連客情報データベースに格納された車番情報を、予め不審者が所有する車番情報から除外する機能をさらに備えることを特徴とする請求項４または５に記載の不審者監視システム。
【請求項７】
前記監視対象情報データベースには、他府県の車番、不審者リストによる車番、他の遊技店から通知された不正行為経歴のある人物が所有する車両の車番情報、過去に遊技店内で不正行為をおこなった人物の顔情報が格納されていることを特徴とする請求項１〜６のいずれか一つに記載の不審者監視システム。
【請求項８】
前記警報手段は、スピーカによる音声報知或いは、モニタに表示される警告表示であることを特徴とする請求項１〜７のいずれか一つに記載の不審者監視システム。
【請求項９】
前記車番情報認識手段は、前記車両撮像手段により撮像された車両の車番である文字コードから、陸支コード、用途コード、車種コードを認識する機能を備えていることを特徴とする請求項１〜８のいずれか一つに記載の不審者監視システム。
【請求項１０】
不審者の監視をおこなう不審者監視方法であって、
駐車場に入場する車両を検知する車両検知工程と、
前記車両検知工程による車両の検知時に、当該車両の撮像をおこなう車両撮像工程と、
前記車両撮像工程により撮像された映像情報に基づいて、前記車両に関する車番情報であるナンバープレート番号を認識する車番情報認識工程と、
予め不審者を特定する監視対象となる車両の車番情報を記憶した監視対象情報データベースと、
前記車番情報認識工程により認識された車番情報と、前記監視対象情報データベース内に格納された監視対象情報との照合をおこなう車番情報照合工程と、
前記車番情報照合工程による照合結果に基づいて、前記車番情報と前記監視対象情報との一致を判定する車番情報判定工程と、
前記車番情報判定工程により、前記車番情報と前記監視対象情報とに一致がある場合に、警報を報知する警報報知工程と
を含むことを特徴とする不審者監視方法。
【請求項１１】
前記不審者監視方法は、車両撮像工程により撮像された撮像情報の印刷をおこなう印刷工程を含むとともに、前記車両撮像工程は、前記車両の運転者の顔情報を撮影する運転者撮像工程をさらに含み、前記車番情報判定工程による判定により、前記車番情報と前記監視対象情報とが一致した場合には、前記印刷工程により、前記運転者撮像工程により撮像された顔情報が印刷されることを特徴とする請求項１０に記載の不審者監視方法。
【請求項１２】
不審者の監視をおこなう不審者監視プログラムであって、
駐車場に入場する車両を検知する車両検知手順と、
前記車両検知手順による車両の検知時に、当該車両および車両の運転者の顔映像の撮像をおこなう車両撮像手順と、
前記車両撮像手順により撮像された映像情報に基づいて、前記車両に関する車番情報であるナンバープレート番号を認識する車番情報認識手順と、
予め監視対象となる車両の車番情報を記憶した監視対象情報データベースと、
前記車番情報認識手順により認識された車番情報と、前記監視対象情報データベース内に格納された監視対象情報との照合をおこなう車番情報照合手順と、
前記車番情報照合手順による照合結果に基づいて、前記車番情報と前記監視対象情報との一致を判定する車番情報判定手順と、
前記車番情報判定手順により、前記車番情報と前記監視対象情報とに一致がある場合に、警報を報知する警報報知手順と
をコンピュータに実行させることを特徴とする不審者監視プログラム。
【発明の詳細な説明】
【技術分野】
【０００１】
本発明は、不審者の監視をおこなう不審者監視システム、不審者監視方法、不審者監視プログラムに関し、特に、駐車場内に入場する車両を特定する車番情報（ナンバープレート）と、予め不審者と判定された人物（運転者）が所有する車両の車番情報（ナンバープレート）が格納されたデータベースとの比較をおこなうことにより、不審者による不正行為対策を向上することができる不審者監視システム、不審者監視方法、不審者監視プログラムに関するものである。
【背景技術】
【０００２】
従来から、パチンコ店などの遊技店においては、不正行為をおこなう人物を監視カメラで撮影することにより不正を防止する不審者監視システム（例えば、特許文献１参照）が普及している。この不審者監視システムによると、遊技店内に据置した監視カメラにより、常時、店内を撮影することにより不審者を特定し、この特定した不審者を重点的に監視することにより、不正防止対策をおこなっている（例えば、特許文献１参照）。
【０００３】
ところで、近年では、遊技店の大型化にともない、パチンコ店などの遊技店が所有する駐車場も大型化する傾向となっている。このため、駐車場も監視対象とする必要があり、この場合の監視方法としては、駐車場内を監視カメラにより撮影し、撮影された監視映像をモニタで確認したり、駐車場内に見慣れない車がないか、挙動不審な人物がいないかなどを店員が定期的にチェックする監視方法が採られている。
【０００４】
【特許文献１】特開２０００−３２５６３７号公報
【発明の開示】
【発明が解決しようとする課題】
【０００５】
しかしながら、上述した従来の不審者監視システムの場合には、以下のような問題がある。すなわち、従来の不審者監視システムの場合には、常時、遊技店内で監視カメラの映像を監視する必要があるうえ、遊技店内の駐車場に出入りする遊技客に対する監視システムは構築されていない。このため、従来では、定期的（所定の時間帯）に店員などが駐車場を見回る必要があるため、実用的な監視システムとは言えない。また、店員による見慣れない車や運転者の認識（判定）などは、人為的な経験や勘などによるものであるため、正確な監視方法とは言えないうえ、見慣れない車や不審者を見落とす恐れがあるという問題がある。また、不審車両や不審者を判定する店員が不在の場合には、監視システムとして機能できなくなるという問題がある。
【０００６】
この発明は、上述した従来技術による課題を解決するためになされたものであり、予め記憶した不審者の車両に関する車両情報や運転者の顔映像に基づいて、不審者の特定や監視を確実且つ効率的におこなうことのできる不審者監視システム、不審者監視方法、不審者監視プログラムを提供することを目的とする。
【課題を解決するための手段】
【０００７】
上述した課題を解決し、目的を達成するために、請求項１に記載の発明は、不審者の監視をおこなう不審者監視装置を備えた不審者監視システムであって、駐車場に入場する車両を検知する車両検知手段と、前記車両検知手段による車両の検知時に、当該車両の撮像をおこなう車両撮像手段と、前記車両撮像手段により撮像された映像情報に基づいて、前記車両に関する車番情報であるナンバープレート番号を認識する車番情報認識手段と、予め不審者の所有する車両の監視対象情報であるナンバープレート番号を記憶した監視対象情報データベースと、前記車番情報認識手段により認識された車番情報と、前記監視対象情報データベース内に格納された監視対象情報との照合をおこなう車番情報照合手段と、前記車番情報照合手段による照合結果に基づいて、前記車番情報と前記監視対象情報との一致を判定する車番情報判定手段と、前記車番情報判定手段により、前記車番情報と前記監視対象情報とが一致する場合に、警報を報知する警報手段とを備えることを特徴とする。
【０００８】
また、請求項２に記載の発明は、請求項１に記載の発明において、前記不審者監視装置は、前記車両撮像手段により撮像された撮像情報の印刷をおこなう印刷手段とを備えるとともに、前記車両撮像手段は、前記車両の運転者の顔情報を撮影する機能をさらに備え、前記車番情報判定手段による判定により、前記車番情報と前記監視対象情報とが一致した場合には、前記印刷手段により、前記撮像手段により撮像された顔情報が印刷されることを特徴とする。
【０００９】
また、請求項３に記載の発明は、請求項１または２に記載の発明において、前記車両撮像手段により撮像された車両の車番情報と運転者の顔情報とを、撮影時刻に関連付けて格納する画像情報データベースをさらに備えることを特徴とする。
【００１０】
また、請求項４に記載の発明は、請求項１、２または３に記載の発明において、前記遊技店への来店回数が多い人物を常連客として記憶する常連客情報データベースをさらに備え、当該常連客情報データベースには、前記車番情報認識手段により認識された車番情報のうち、来店回数が多い車番情報に該当する車両の所有者が常連客として格納されることを特徴とする。
【００１１】
また、請求項５に記載の発明は、請求項４に記載の発明において常連客情報データベースには、前記車番情報判定手段により判定された不審者の所有でないと判定された車両の車番情報のうち、来店回数が多い車番情報に該当する車両の所有者が常連客として格納されることを特徴とする。
【００１２】
また、請求項６に記載の発明は、請求項４または５に記載の発明において、前記車番情報判定手段は、前記常連客情報データベースに格納された車番情報は、予め不審者が所有する車番情報から除外する機能をさらに備えることを特徴とする。
【００１３】
また、請求項７に記載の発明は、請求項１〜６のいずれか一つに記載の発明において、前記監視対象情報データベースには、他府県の車番、不審者リストによる車番、他の遊技店から通知された不正行為経歴のある人物が所有する車両の車番、過去に遊技店内で不正行為をおこなった人物の顔情報が格納されていることを特徴とする。
【００１４】
また、請求項８に記載の発明は、請求項１〜７のいずれか一つに記載の発明において、前記警報手段は、スピーカによる音声報知或いは、モニタに表示される警告表示であることを特徴とする。
【００１５】
また、請求項９に記載の発明は、請求項１〜８のいずれか一つに記載の発明において、前記車番情報認識手段は、前記車両撮像手段により撮像された車両の車番である文字コードから、陸支コード、用途コード、車種コードを認識する機能を備えていることを特徴とする。
【００１６】
また、請求項１０に記載の発明は、不審者の監視をおこなう不審者監視方法であって、駐車場に入場する車両を検知する車両検知工程と、前記車両検知工程による車両の検知時に、当該車両の撮像をおこなう車両撮像工程と、前記車両撮像工程により撮像された映像情報に基づいて、前記車両に関する車番情報であるナンバープレート番号を認識する車番情報認識工程と、予め不審者を特定する監視対象となる車両の車番情報を記憶した監視対象情報データベースと、前記車番情報認識工程により認識された車番情報と、前記監視対象情報データベース内に格納された監視対象情報との照合をおこなう車番情報照合工程と、前記車番情報照合工程による照合結果に基づいて、前記車番情報と前記監視対象情報との一致を判定する車番情報判定工程と、前記車番情報判定工程により、前記車番情報と前記監視対象情報とに一致がある場合に、警報を報知する警報報知工程とを含むことを特徴とする。
【００１７】
また、請求項１１に記載の発明は、請求項１０に記載の発明において、車両撮像工程により撮像された撮像情報の印刷をおこなう印刷工程を含むとともに、前記車両撮像工程は、前記車両の運転者の顔情報を撮影する運転者撮像工程をさらに含み、前記車番情報判定工程による判定により、前記車番情報と前記監視対象情報とが一致した場合には、前記印刷工程により、前記運転者撮像工程により撮像された顔情報が印刷されることを特徴とする。
【００１８】
また、請求項１２に記載の発明は、不審者の監視をおこなう不審者監視プログラムであって、駐車場に入場する車両を検知する車両検知手順と、前記車両検知手順による車両の検知時に、当該車両および車両の運転者の顔映像の撮像をおこなう車両撮像手順と、前記車両撮像手順により撮像された映像情報に基づいて、前記車両に関する車番情報であるナンバープレート番号を認識する車番情報認識手順と、予め監視対象となる車両の車番情報を記憶した監視対象情報データベースと、前記車番情報認識手順により認識された車番情報と、前記監視対象情報データベース内に格納された監視対象情報との照合をおこなう車番情報照合手順と、前記車番情報照合手順による照合結果に基づいて、前記車番情報と前記監視対象情報との一致を判定する車番情報判定手順と、前記車番情報判定手順により、前記車番情報と前記監視対象情報とに一致がある場合に、警報を報知する警報報知手順とをコンピュータに実行させることを特徴とする。
【発明の効果】
【００１９】
請求項１、１０および１２に記載の発明によれば、車両検知手段により駐車場に入場する車両を検知すると、車両撮像手段により車両の撮像をおこない、車両撮像手段により撮像された映像情報に基づいて、車番情報認識手段により車両に関する車番情報であるナンバープレート番号を認識し、車番情報照合手段により認識された車番情報と、予め不審者の所有する車両の監視対象情報を記憶した監視対象情報データベース内に格納された監視対象情報との照合をおこない、車番情報判定手段により車番情報と監視対象情報との一致を判定し、車番情報判定手段により、車番情報と監視対象情報とが一致する場合に、警報手段により警報を報知するので、来場する人物が不審者であるかの判定は、遊技店内の係員などの勘などによる人為的な判断ではなく、過去に不正行為をおこなった不審者リストや監視対象者リストに基づいた正確な判定基準によるため、不正行為をおこなう可能性の高い人物を容易且つ確実に不審者として判定することができるという効果を奏する。また、不審者の来店を見逃すことなく、不審者が駐車場内に入場した時点で注目して監視をおこなうことができ、これによって、不正行為を未然に且つ確実に防止することができるという効果を奏する。また、監視カメラによる映像情報を常時監視する必要がなくなるため、監視作業の負荷を軽減することができるという効果を奏する。
【００２０】
また、請求項２に記載の発明によれば、不審者監視装置は、車両撮像手段により撮像された撮像情報の印刷をおこなう印刷手段とを備えるとともに、車両撮像手段は、車両の運転者の顔情報を撮影する機能をさらに備え、車番情報判定手段による判定により、車番情報と前記監視対象情報とが一致した場合には、印刷手段により、撮像手段により撮像された顔情報が印刷されるので、不審者の車両として判定した車両の所有者の顔情報（顔写真）に基づいて、該当する人物が不正をおこなっていないかを重点的にチェックすることができるとともに、監視による見回りを効率良くおこなうことができるという効果を奏する。
【００２１】
また、請求項３に記載の発明によれば、車両撮像手段により撮像された車両の車番情報と運転者の顔情報とを、撮影時刻に関連付けて格納する画像情報データベースをさらに備えるので、この画像情報データベースにより、車番に関連付けて運転者の顔映像を正確に管理することができるという効果を奏する。
【００２２】
また、請求項４に記載の発明によれば、遊技店への来店回数が多い人物を常連客として記憶する常連客情報データベースをさらに備え、当該常連客情報データベースには、車番情報認識手段により認識された車番情報のうち、来店回数が多い車番情報に該当する車両の所有者が常連客として格納されるので、不審者の監視とともに、来店回数の多い遊技客を常連客として認識することが同時におこなうことができるうえ、自動的に常連客のデータベースを作成することが可能となるという効果を奏する。
【００２３】
また、請求項５に記載の発明によれば、常連客情報データベースには、前記車番情報判定手段により判定された不審者の所有でないと判定された車両の車番情報のうち、来店回数が多い車番情報に該当する車両の所有者が常連客として格納されるので、車番情報判定手段による判定情報に基づいて、効率良く常連客を正確に把握することができるうえ、不審者監視システムによるシステム管理を効率良くおこなうことができるという効果を奏する。
【００２４】
また、請求項６に記載の発明によれば、車番情報判定手段は、常連客情報データベースに格納された車番情報は、予め不審者が所有する車番情報から除外する機能をさらに備えるので、車番情報判定手段による判定情報に基づいて、効率良く常連客を正確に把握することができるという効果を奏する。
【００２５】
また、請求項７に記載の発明によれ、監視対象情報データベースには、他府県の車番、不審者リストによる車番、他の遊技店から通知された不正行為経歴のある人物が所有する車両の車番、過去に遊技店内で不正行為をおこなった人物の顔情報が格納されているので、この監視対象情報データベースによる監視対象情報に基づいて、不審者の特定を正確に且つ効率良くおこなうことができるという効果を奏する。
【００２６】
また、請求項８に記載の発明によれば、警報手段は、スピーカによる音声報知或いは、モニタに表示される警告表示であるので、遊技店に入店する不審者の存在を速やかに報知することができ、不正対策を向上することができるという効果を奏する。
【００２７】
また、請求項９に記載の発明によれば、車番情報認識手段は、車両撮像手段により撮像された車両の車番である文字コードから、陸支コード、用途コード、車種コードを認識する機能を備えているので、駐車場内に入場する車両の車番情報を詳細に認識することができるうえ、不審者を特定する車両情報を正確に判断することができるという効果を奏する。
【００２８】
また、請求項１１に記載の発明によれば、不審者監視方法は、車両撮像工程により撮像された撮像情報の印刷をおこなう印刷工程を含むとともに、車両撮像工程は、車両の運転者の顔情報を撮影する運転者撮像工程をさらに含み、車番情報判定工程による判定により、車番情報と監視対象情報とが一致した場合には、印刷工程により、運転者撮像工程により撮像された顔情報が印刷されるこ不審者監視装置は、車両撮像手段により撮像された撮像情報の印刷をおこなう印刷手段とを備えるとともに、車両撮像手段は、車両の運転者の顔情報を撮影する機能をさらに備え、車番情報判定手段による判定により、車番情報と前記監視対象情報とが一致した場合には、印刷手段により、撮像手段により撮像された顔情報が印刷されるので、不審者の車両として判定した車両の所有者の顔情報（顔写真）に基づいて、該当する人物が不正をおこなっていないかを重点的にチェックすることができるとともに、監視による見回りを効率良くおこなうことができるという効果を奏する。
【発明を実施するための最良の形態】
【００２９】
以下に、添付図面を参照して、この発明に係る不審者監視システム、不審者監視方法、不審者監視プログラムの好適な実施例を詳細に説明する。なお、以下に示す実施例では、本発明に係る不審者監視システムの概要および特徴を説明した後に、不審者監視システムの構成、不審者監視方法による制御手順を順に説明することとする。また、実施例としては、この不審者監視システムを駐車場を所有するパチンコ店などの遊技店に適用した場合を示すこととする。なお、以下に示す各実施例によりこの発明が限定されるものではない。
【実施例１】
【００３０】
（不審者監視システムの概要および構成）
先ず、図１を用いて、本実施例１に係る不審者監視システムの特徴および構成を説明する。図１は、本実施例に係る不審者監視システムの全体構成を示すシステム構成図である。
【００３１】
同図に示すように、本実施例１に係る不審者監視システムは、駐車場１００を所有するパチンコ遊技やスロット遊技などの遊技を提供する遊技店３００（パチンコ店）において構築されるシステムである。すなわち、同図に例示するように、不審者監視システムは、遊技店３００が所有する駐車場１００に来場（入場）する車両の特定情報（車両に関する車番などの情報）を撮像する駐車場１００内に備えた撮像システム１５０と、遊技店３００内に構築されるカメラサーバ２００と、ターミナルコントローラ４００に備えた不審者の監視状態を管理する不審者監視装置４８０とをＬＡＮ（Local Area Network）などの通信回線（ネットワーク）により接続した状態で構成されている。
【００３２】
ここで、本発明に係る不審者監視システムの特徴を概略的に説明すると、駐車場１００内の撮像システム１５０は、第１の撮像カメラ１６０（特許請求の範囲の「車両撮像手段））により駐車場１００に入場する車両の車番情報（ナンバープレート）を遊技店３００内に備えた不審者監視装置４８０に送信するようにしており、この不審者監視装置４８０では、第１の撮像カメラ１６０から送信される車番情報と、不審者が所有する車両の車番情報が格納された監視対象車両データベース４８６（図９）内の車番情報とを照合し、両者を比較判定することにより、駐車場１００内に入場した車両が不審者の所有する車両か否かを特定し、車両が不審者の車両である場合には、不審者監視装置４８０に備えているスピーカ６１６（図４）などにより警戒警報を報知するようにしている。
【００３３】
具体的に説明すると、不審者監視装置４８０（図３）は、予め過去に不正をおこなった人物（不審者）が所有する車両の車番や他の府県の車番を記憶した監視対象情報データベース４８６（図９）と、第１の撮像カメラ１６０から送信される車両の画像情報を車番（ナンバープレートの番号）として認識する車両認識部４８１と、車番認識部４８１により認識された車番情報（ナンバープレート）と、監視対象データベース４８６に格納された車番情報との照合をおこなう車番照合部４８２と、この車番照合部４８２により照合された車番情報を比較判定する車番判定処理部４８３と、この車番判定処理部４８３により、車番の一致がある場合に、警報を報知するスピーカ６１６などの警報手段とを備えている。すなわち、これによって、駐車場１００内に入場する車両を不審者が所有する車両であることを予め把握することによって、遊技店３００内に不審者が来場することを事前に把握するとともに、遊技店３００内に来場する人物の中から、予め不審者を特定し、この不審者として特定した人物を要注意人物として注目することにより不正行為の発生を未然に防止することを可能としている。
【００３４】
また、本発明に係る不審者監視システムは、上記の主たる特徴に関連して以下に列挙するような特徴も付加的に備えている。つまり、本発明では、駐車場１００内に入場する車両内の運転者を撮影する第２の撮像カメラ１７０（特許請求の範囲の請求項２に記載の「車両撮像手段」）も備えるようにしているため、この第２の撮像カメラ１７０により撮像した運転者の顔情報を出力部４５０（図３）によりプリントが可能となっている。すなわち、これによって、不審者の車両として判定した車両の所有者の顔情報（顔写真）に基づいて、該当する人物が不正をおこなっていないかを重点的にチェックすることで、監視による見回りを効率良くおこなうことができるうえ、効果的な不正防止対策をおこなうことができる。
【００３５】
また、本発明に係る不審者監視システムでは、駐車場１００内に来場する全ての車両を第１の撮像カメラ１６０により撮像するようにしているため、この第１の撮像カメラ１６０による撮像情報に基づいて、常連客のデータベースである常連客情報データベース４８７（図４）を自動的に作成することができるようにしている。
【００３６】
また、本発明に係る不審者監視システムでは、上記に関連して常連客として認定された人物が所有する車両の車両情報（ナンバープレート）は、予め監視対象車両から除外するようにしている。すなわち、これによって、不審者監視システムをより効率的におこなうことができる。
【００３７】
（不審者監視システムの構成）
以下、図１を参照して、本発明に係る不審者監視システムにおける構成の詳細を説明する。図１に示すように、本実施例１に係る不審者監視システムは、遊技店３００が所有する駐車場１００に来場（入場）する車両の車番情報（ナンバープレート）および車両の運転者の顔情報を撮像する駐車場１００内に備えた撮像システム１５０と、遊技店３００内に構築されるカメラサーバ２００と、ターミナルコントローラ４００に備えた不審者の監視状態を管理する不審者監視装置４８０とをＬＡＮ（Local Area Network）などの通信回線（ネットワーク）により接続した状態で構成されている。
【００３８】
駐車場１００内の撮像システム１５０は、車両の入場を検知する車両検知センサ１４０（特許請求の範囲の「車両検知手段」）と、第１の撮像カメラ１６０と、第２の撮像カメラ１７０と、撮像制御装置１８０とにより構成されている。このうち、車両検知センサ１４０は、駐車場１００の入口ゲート付近に設置され、この車両検知センサ１４０には、例えば、ＣＣＤ（Charge Coupled Device）などの光学センサが採用されている。
【００３９】
また、第１の撮像カメラ１６０は、駐車場１００内に入場（入場）する車両の画像情報（車番情報／ナンバープレート）を撮影する機能を備えており、第２の撮像カメラ１７０は、車両を運転している運転者（ドライバー）の顔映像を撮影する機能を備えている。これら第１、第２の撮像カメラ１６０、１７０は、昼夜でも、精密な撮影が可能なように近赤外線ストロボを発光する機能を備えている。また、これら第１、第２の撮像カメラ１６０、１７０は、ズームアップ撮像機能を備えるようにし、このズームアップ撮像により高精密画像を取得するようにしても良い。
【００４０】
また、撮像制御装置１８０は、駐車場１００に入場する車両を検知した車両検知センサ１４０からの車両検知信号を受信するとともに、第１、２の撮像カメラ１６０、１７０に対して、車両情報（ナンバープレート）および車両の運転者の顔映像を撮像する撮像指示信号を通知し、これら第１、２の撮像カメラ１６０、１７０により撮像された車両の車番情報（ナンバープレート）および運転者の顔映像情報をカメラサーバ２００（図２）および不審者監視装置４８０（図４）に送信する機能を備えている。
【００４１】
一方、遊技店３００においては、この遊技店３００の事務所内に設置するターミナルコントローラ４００を中心として、このターミナルコントローラ４００と島コントローラ３１０に通信接続される複数の遊技機３２０とを通信回線を接続して構成されている。
【００４２】
また、この遊技店３００内の監視は、複数の遊技機３１０の近傍に据置された監視カメラ３３０によりおこなわれる。この監視カメラ３３０により撮像された映像情報は、カメラサーバ２００に送信される。また、後述するように、この映像情報は、不正情報管理データベース２５０（図１０）に記憶され、格納されるものとなる。
【００４３】
（カメラサーバの構成）
次に、図２を参照して、カメラサーバ２００の構成および機能の詳細を説明する。図２は、カメラサーバ２００の内部構成を示す機能ブロック図である。同図に例示するように、カメラサーバ２００は、駐車場１００に据置された第１、第２の撮像カメラ１６０、１７０から送信される車両の車番情報および運転者の顔映像を収集する機能を備えたサーバコンピュータであり、制御部２１０と、記憶部２３０（メモリ）と、通信ＩＦ部２３１とから構成される。記憶部２３０は、画像情報データベース２４０と、不正行為管理データベース２５０とを備えている。これら画像情報データベース２４０および不正行為管理データベース２５０の詳細については、後述する。
【００４４】
（ターミナルコントローラの構成）
次に、図３を参照して、ターミナルコントローラ４００（Ｔ／Ｃ）について説明する。ターミナルコントローラ４００は、遊技店の事務所内に少なくとも１台設置してあり、店内全体を管理するコンピュータとして動作し、パチンコ玉の貸し出しに関わる統括管理、例えばカード管理、会員の管理、売上管理などをおこなうとともに、会員カードおよび一般カード個々の残度数に関するデータを記憶／管理する機能を備えている。また、このターミナルコントローラ４００は、本発明に密接に関連する構成としては、不審者の監視状態を管理する不審者監視装置４８０を備えている。以下、このターミナルコントローラ４００の構成および機能の詳細を説明する。
【００４５】
図３は、ターミナルコントローラ４００の内部構成を示す機能ブロック図である。同図に例示するように、このターミナルコントローラ４００は、主制御部４１０と、モニタ４２０と、入力部４３０と、外部記憶部４４０（ハードディスク）と、出力部４５０と、不審者監視装置４８０とを備えている。４６０は、通信Ｉ／Ｆで、この通信Ｉ／Ｆ４６０は、カメラサーバ２００側の通信Ｉ／Ｆ２３１とで、情報の送受信をおこなうインターフェースとしての通信機能を備えている。以下、ターミナルコントローラ１００を構成する各構成要素の詳細を説明する。なお、本実施例１では、不審者監視装置４８０をターミナルコントローラ４００に備える構成としたが、本発明はこれに限定されるものではなく、遊技店３００のいかなる場所に不審者監視装置４８０を備える構成としてもよい。
【００４６】
主制御部４１０は、不審者監視システム全体を統括制御するコントローラとしての機能を備えている。なお、本例では、不審者管理機能を有する不審者監視装置４８０を備えているが、主制御部４１０に不審者監視装置４８０が備えている不審者監視機能をプログラムとして備えることにより、不審者監視装置４８０を省略する構成としてもよい。
【００４７】
モニタ４２０は、ＣＲＴや液晶ディスプレイを備えて構成されており、操作ガイダンスや必要な情報（管理項目）を表示する機能を備えている。このモニタ４２０には、各設定画面を選択できる不審者管理メニュー画面５００（図５）や駐車場１００内に監視対象車両が入場したときに警告画面などをポップアップ表示することができる。なお、このモニタ４２０は、タッチパネルとして後述する入力部４３０の機能をも実現するようにしてもよい。表示制御手段４２５は、モニタ４２０による表示を制御する表示制御機能を備えている。
【００４８】
入力部４３０は、各種の情報を入力するキーボード、マウス及びトラックボールなどの指示入力手段（入力用デバイス）であり、主に、遊技店３００のオーナーまたは経営者などの経営に携わる者からの操作により管理をおこなう手段として使用される。具体的には、不審者管理メニュー画面５００（図５）により各管理メニューを設定する時や、不審者と特定した顔映像をマウスにより指定して、後述する出力部４５０によりプリントする際に使用する。
【００４９】
外部記憶部（ハードディスク）４４０は、主制御部４１０による各種処理に必要なデータおよびプログラムを格納する格納手段（記憶手段）であり、特に本発明に密接に関連するものとしては、本発明による不審者監視装置４８０を起動するための不審者管理プログラムなどが格納されており、この起動プログラムは、後述する不審者管理メニュー５００（図５）により設定し、起動を開始させることができる。
【００５０】
出力部４５０はプリンタなどの印刷手段であり、本例では、モニタ４２０に表示される各種の管理データベース情報の画面（画像情報データベース２４０、不正行為データベース２５０、来店客情報データベース４８５、監視対象情報データベース４８６、常連客情報データベース４８７）や不審者と判定された人物の顔映像を印字（プリント）する機能を備えている。
【００５１】
（不審者監視装置の構成と機能）
次に、不審者監視装置４８０の構成および機能の詳細を説明する。図４は、不審者監視装置４８０の内部構成である機能ブロック図を示している。この不審者監視装置４８０は、駐車場１００内に備えた撮像システム１５０による第１、第２の撮像カメラ１６０、１７０により撮像された車両の車番（ナンバープレート番号）および運転者の顔映像を取得するとともに、予め監視対象情報データベース４８６に記憶している監視対象情報（ナンバープレート番号、地域、登録者氏名）との比較をおこない、車両が所有する車番情報と監視対象情報とが一致した場合には、駐車場１００に来場した車両は不審者が所有する車両であると判定し、この時点で、スピーカ６１６などにより警報を報知する機能を備えている。スピーカ６１６からは、例えば、「不審者を発見しました／注意」などの警報を報知することができる。また、本実施例１では、第１の撮像カメラ１６０と車番（ナンバープレート）とが一致した際に、スピーカ６１６により、例えば、「監視対象車両が入場しました」などの警報を報知するようにしているが、モニタ４２０上に警告画面がポップアップ表示する構成としてもよい。
【００５２】
すなわち、同図に示すように、不審者監視装置４８０は、車番認識部４８１と、車番照合部４８２と、車番判定処理部４８３と、常連客判定部４８４と、警報制御部６１５と、スピーカ６１６と、来店客車番情報データベース４８５と、監視対象情報データベース４８６と、常連客情報データベース４８７とを備えている。
【００５３】
車番認識部４８１は、第１の撮像カメラ１６０により撮像された車両の特定情報（画像情報）である車番（ナンバープレート）を取得するとともに、この車番情報による文字情報（車両画像情報）を解析し、認識する機能を備えている。具体的には、撮像システム１５０から送信される映像情報（車番情報）を読み取り、この車番情報であるナンバープレートから陸支コード、用途コード、車種コードなど、特定の車両に関する一連番号を認識する機能を備えている。
【００５４】
この一連番号とは、例えば、「大阪  ぬ  ７１１  ８１−２２」のことである。この車両認識部４８１により、読み取られ認識された車番情報（ナンバープレート）は、来店客車番情報データベース４８５（図６）に格納するものとなる。また、第２の撮像カメラ１７０により撮像された運転者の顔映像は、画像情報データベース２４０（図７）に格納されるものとなる。ここで、本実施例１によると、来店客車番情報データベース４８５（図６）および画像情報データベース２４０によるデータは、モニタ４２０に表示することができる。
【００５５】
図５は、ターミナルコントローラ４００の電源ＯＮ時に、モニタ４２０に表示される不審者管理メニュー画面５００の１例を示している。同図に示すように、モニタ４２０には、不審者管理メニュー画面５００として来店客車番情報５１０、来店客画像情報５１１、監視対象情報５１２、アラーム対象設定５１３、常連客条件設定５１４、不正行為管理５１５・・・などの各管理項目を選択する複数の設定メニューが表示される。本例では、この不審者管理メニュー画面５００の中から所望の管理項目を選択することにより、モニタ４２０上に任意の情報管理画面および登録設定画面を表示させることができる。
【００５６】
具体的に説明すると、例えば、不審者管理メニュー画面５００に表示されている来店客画像情報５１１のアイコンをマウスにより指定し、クリックすることにより、モニタ４２０に画像情報データベース２４０（図７）に記憶されている画像情報画面２４０ａ（図８）を表示させることができる。これによって、本例では、車両の車番と運転者の顔映像とを目視により関連付けて確認することができる。
【００５７】
ここで、上記の例では、画像情報データベース２４０の記憶内容をモニタ４２０に表示する例を示したが、同様に、来店客車番情報５１０の指定により、図６に示した来店客車番情報データベース４８５に記憶されている情報内容をモニタ４２０に表示させることができる。また、監視対象情報５１２の指定により、図９に示した監視対象情報データベース４８６に記憶されている情報内容をモニタ４２０に表示させることができる。
【００５８】
また、アラーム対象設定５１３の指定により、図１２に示したアラーム対象ナンバー対象ナンバー指定画面７００をモニタ４２０に表示させ、アラーム対象ナンバーを設定することができる。このアラーム対象ナンバー指定画面７００によるアラーム対象ナンバーの設定の詳細は、後述する。
【００５９】
また、常連客条件設定５１４の指定により、図１１−１に示した常連客情報設定画面４８８をモニタ４２０に表示させ、常連客情報を設定することができる。この常連客情報設定画面４８８による常連客の設定の詳細は、後述する。また、不正行為管理５１５の指定により、図１０に示した不正行為管理データベース２５０に記憶されている情報内容をモニタ４２０に表示させることができる。
【００６０】
次いで、図６を参照して、来店客車番情報データベース４８５の概要について説明する。図６は、来店客車番情報データベース４８５の一例を示している。同図に示すように、来店客車番情報データベース４８５は、第１の撮像カメラ１６０により撮像された車両の車番（ナンバープレート）が格納されるデータベースであり、車番欄４９０と、入場時刻欄４９４と、退場時刻欄４９５と、不審者フラグ欄４９６と、新規来場者フラグ欄４９７とを備えている。
【００６１】
この来店客車番情報データベース４８５に格納された車両の所有者（運転者）が不審者であると判定された場合には、該当する車番に対応した不審者フラグ欄４９６にフラグが入力される。また、不審者でないと判定された場合には、新規来場者フラグ欄４９７にフラグが入力される。
【００６２】
ここで、この来店客車番情報データベース４８５によると、上述したように、駐車場１００内に来場する全ての車両を第１の撮像カメラ１６０により撮像するようにしているため、この第１の撮像カメラ１６０による撮像情報に基づいて、常連客のデータベースである常連客情報データベース４８７（図示せず）を自動的に作成することも可能となる。具体的には、来店客車番情報データベース４８５による新規来場者のうち、遊技店３００への来店回数が多い人物を常連客として認定し、記憶することにより、常連客情報データベース４８７を作成することができ、常連客以外の人物が駐車場１００内に来場した場合、この人物を不審者の可能性があるとし、警戒モードを高めることができる。これにより、常連客として認定した遊技客に対して、特別なサービスを提供することによって、さらなる遊技客の囲い込みなどを図ることができる。なお、この常連客情報データベース４８７の詳細な条件設定については、後述する。
【００６３】
次に、図７を参照して、画像情報データベース２４０の概要を説明する。図７は、画像情報データベース２４０の一例を示している。同図に示すように、画像情報データベース２４０は、車番である車両ナンバー（ナンバープレート）に対応付けて第２の撮像カメラ１７０により撮像された運転者の顔映像を記憶したデータベースであり、第１の撮像カメラ１６０により撮像された車番情報に対応付けて、第２の撮像カメラ１７０により撮像された運転者の顔映像を、記憶し、格納する機能を備えている。この画像情報データベース２４０による顔映像の蓄積期間は、最大１ヶ月程度とし、古い画像情報から上書き処理をおこなうようにしている。すなわち、画像情報データベース２４０は、車両ナンバー欄２４１と、運転者映像欄２４２と、入場時刻欄２４３と、退場時刻欄２４４と、不審者フラグ欄２４５と、新規来場者フラグ欄２４６とを備えている。
【００６４】
この画像情報データベース２４０では、不審者監視装置４８０により、車両の運転者が不審者と判定された場合には（第１の撮像カメラ１６０により撮像された車番情報が監視対象情報データベース４８１内の車番情報と一致する）、不審者フラグ欄２４５にフラグが入力される。また、車両の運転者が不審者でないと判定された場合には、新規来場者欄２４６にフラグが入力される。なお、前述したように、この新規来場者欄２４６にフラグが入力された人物は、遊技店への来店回数に応じて、常連客として認識される。
【００６５】
なお、前述したように、この図７に示した、画像情報データベース２４０の内容は、図８に示すように、ターミナルコントローラ４００のモニタ２４０上に画像情報表示画面２４０ａとして表示することもできる。すなわち、これによって、モニタ２４０に表示された画像情報表示画面２４０ａを表示することにより、不審者の車両と判定された車両のナンバープレート番号および運転者の顔映像を容易に確認することができる。
【００６６】
以下、図４に戻り、不審者監視装置４８０の他の構成要素について説明する。車番照合部４８２は、車番認識部４８１により認識された車両の車番（ナンバープレート）と監視対象車両データベース４８６内（図９）に格納されている車番情報とを照合する機能を備えている。監視対象情報データベース４８６は、不審者として指定された車番（不審者車番リスト）が記憶されたデータベースである。
【００６７】
車番判定部４８３は、車番照合部４８２により照合された車番情報と監視対象車両データベース４８６に格納されている車番情報とが一致するか否かを判定する機能を備えている。
【００６８】
ここで、図９を参照して、監視対象情報データベース４８６の概要について説明する。図９は、監視対象情報データベース４８６の一例を示している。同図に示すように、監視対象情報データベース４８６は、予め監視対象となる不審者が該当するナンバープレート（車番）などが登録／格納されているデータベースである。具体的には、他の遊技店で公開されている過去に不正行為をおこなった人物が所有する車両の車番リスト（不審者車番リスト）や他府県のナンバープレート番号や他府県の車番（ナンバープレート）、不審者リストによる車番、他の遊技店から通知された不正行為経歴のある車番や過去に遊技店３００内で不正行為をおこなった人物の顔情報などが、予め、格納されたデータベースであり、車番欄４９０と、地域指定欄４９１と、氏名欄４９２と、顔映像欄４９３ととを備えている。地域指定欄４９１には、不審者を特定する他府県ナンバーが、氏名欄４９２には、名前が判明している不審者の名前が格納されている。なお、他府県のナンバープレート番号が、監視対象として監視対象情報データベース４８６に格納されているのは、他府県ナンバーの車両の保有者が不正行為をおこなう可能性が高い場合が多いためである。
【００６９】
ここで、本例では、不審者を特定する車番（ナンバープレート）を不審者の判定条件として、格納しているが、車番ではなく、不審者と認識された人物が所有する車両の色／型／特徴などを、この監視対象として別の或いは同一のデータベースに記憶するようにしてもよい。
【００７０】
また、この監視対象情報データベース４８６は、監視カメラ３３０により撮影され作成された不正行為管理データベース２５０とリンクするようにしてもよい。以下、図１０を参照して、不正行為管理データベース２５０の概要を説明する。図１０は、不正行為管理データベース２５０の一例を示している。同図に示すように、この不正行為管理データベース２５０には、遊技店３００内に据置された監視カメラ３３０により撮像された不正行為をおこなった人物の顔映像に対応付けて、車番情報が格納されたデータベースであり、ガラスオープンなどの不正行為種別欄２５１と、不正行為をおこなった時間欄２５２と、不正行為をおこなった人物の顔映像欄２５３と、不審者フラグ欄２４５と、車番欄２５５とを備えている。そして、同図に示すように、この不正行為管理データベース２５０内の不正行為種別により、顔映像とリンクさせ不正行為をおこなった人物の車番を確認することができる。
【００７１】
以下、図４に戻り、不審者監視装置４８０の他の構成要素について説明する。常連客データベース４８７は、来店回数が多い遊技客の顔情報および常連客の所有する車両の車番情報とを関連付けて格納されているデータベースである。前述したように、本例では、この常連客データベース４８７は、来店客車番情報データベース４８５への車番情報の格納により自動的に作成することができる。なお、この常連客データベース４８７に格納された遊技客に対しては、所定のサービスをおこなうようにしている。具体的には、例えば、○回以上来店の遊技客に対しては、コーヒーチケット、ライター、ガム、煙草などのサービスを提供するものとなる。
【００７２】
ここで、本発明の不審者監視システムによると、遊技店３００に来店する遊技客を常連客として設定するための、「常連客条件登録機能」を備えている。以下、この常連客の条件登録設定の詳細について、図１１−１および図１１−２を参照して詳細に説明する。図１１−１は、モニタ４２０に表示される常連客条件設定画面４８８の一例を示している。同図に示すように、常連客条件設定画面４８８は、常連客として認定するための常連客設定条件フィールド６１０と、新規来店設定欄６２０とを備えている。常連客設定条件フィールド６１０は、常連客の来店回数の基準、来店時の遊技店内滞在時間、常連客としての登録を削除する条件などを設定する機能を備えている。新規来店設定欄６２０は、新規来店の遊技客が来場時にアラームを報知するか否かの設定をおこなう機能を備えている。
【００７３】
図１１−２は、実際に設定された常連客条件設定画面４８８の画面例を示している。同図に示すように、常連客条件設定画面４８８では、来店回数が３回に到達した時、または、来店時の遊技店内滞在時間が６時間／１日である場合に特定の遊技客を常連客として設定することを登録したことを示している。また、常連客として登録した人物が３０日以上、来店しない場合は、登録を削除する設定したことを示している。また、本例の場合、新規の遊技客が来店した場合には、アラームの報知がおこなわれる設定を示している。図６の例で具体的に説明すると、車番「５１−２７」の車両を所有する遊技客の入場が３回となった時点で、この遊技客は、常連客として登録され、常連客情報データベース４８７に格納される。なお、この常連客情報データベース４８７に格納された遊技客に対しては、規定の来店回数などを設定し、例えば、○回以上来店の遊技客にコーヒーチケット、ライター、ガム、煙草などのサービスを提供する。
【００７４】
（アラーム対象ナンバー設定画面の構成）
ここで、本発明の不審者監視システムによると、遊技店３００が所有する駐車場１００に来場する車両の車番情報（ナンバープレート）を自動的に不審者の監視対象とするアラーム対象ナンバー（ナンバープレート）として設定する機能を備えている。以下、このアラーム対象ナンバー設定画面４８９による設定の詳細について、図１２を参照して詳細に説明する。
【００７５】
図１２は、モニタ４２０に表示されるアラーム対象ナンバー設定画面４８９による「アラーム対象ナンバー指定」の一例を示している。前述したように、アラーム対象ナンバー設定画面４８９は、不審者管理メニュー画面５００（図５）の管理項目の「アラーム対象設定」を指定することにより、表示することができる。同図に示すように、アラーム対象ナンバー設定画面７００は、３種類（「１．地域指定」、「２．ナンバー種類指定」、「３．ナンバー直接指定」地域指定））のアラーム対象指定選択を備えており、このうち、「１．地域指定」は、特定の地域を監視対象とし設定する機能を備えている。図１２の例では、「姫路」と「神戸」が、監視対象となる「地域指定」として設定されている。
【００７６】
また、「２．ナンバー種類指定」は、特定の地域における車両ナンバーを監視対象とし設定する機能を備えている。図１２の例では、「わ  ５５」が、監視対象車番として設定されている。
【００７７】
また、「３．ナンバー直接指定」は、特定の車両ナンバーを直接の監視対象とし設定する機能を備えている。図１２の例では、「姫路  ぬ５５５  ７７−７７」〜「大阪  ぬ  ７１１  ８１−２２」が、監視対象車番として設定されている。図１２の例では、アラーム対象とする車番を、「姫路  ぬ  ５５５  ７７−７７」〜「大阪  ぬ  ７１１  ８１−２２」として設定したことを示している。これにより、車番が「姫路  ぬ  ５５５  ７７−７７」である車両が駐車場１００内に入場すると、即座に、スピーカ６１６などの警報手段により「監視対象車両が入場しました」などの警報が報知されるものとなる。これら、「１．地域指定」、「２．ナンバー種類指定」、「３．ナンバー直接指定」によりアラーム対象ナンバーとして指定された車番情報は、監視対象情報データベース４８６（図９）に記憶させて、格納することができる。
【００７８】
（不審者監視システムの基本制御手順）
次に、本発明の不審者監視システムおける基本制御手順を説明する。図１３は、本発明に係る不審者監視方法の基本制御手順を説明するフローチャートである。すなわち、本発明に係る不審者監視方法は、大別して（１）車番情報撮像工程（ＳＡ１１０）と、（２）車両運転者撮像工程（ＳＡ１２０）と、（３）車番情報登録工程（ＳＡ１３０）と、（４）監視対象情報照合工程（ＳＡ１４０）と、（５）監視対象情報判定工程（ＳＡ１５０）と、（６）警報報知工程（ＳＡ１６０）とから構成されている。
【００７９】
（１）車番情報撮像工程は、駐車場１００に入場する車両の映像を第１の撮像カメラ１６０により撮像する処理手順である。具体的には、この車番情報撮像工程により、車両の特定情報（画像情報）である車番（ナンバープレート）の文字情報が第１の撮像カメラ１６０により撮像されるものとなる。
（２）車両運転者撮像工程は、駐車場１００に入場する車両の運転者の顔映像を第２の撮像カメラ１７０により撮像する処理手順である。
（３）  車番情報登録工程は、第１の撮像カメラ１６０により撮像された車両の特定情報（画像情報）である車番（ナンバープレート）の文字情報を解析し、認識する処理手順である。具体的には、この車番情報認識工程によるナンバープレート情報から、車両の陸支コード、用途コード、車種コードなどの車両に関する一連番号を認識することができる。
（４）監視対象情報照合工程は、第１の撮像カメラ１６０により撮像された車両の車番情報および運転者の顔映像と監視対象車両データベース４８６（図９）に格納されている監視対象情報とを照合する処理手順である。
（５）監視対象情報判定工程は、前記監視対象情報照合工程により照合された車番情報および運転者の顔映像と監視対象車両データベース４８６に格納されている監視対象情報とが一致するか否かを判定する処理手順である。
（６）警報報知工程は、前記監視対象情報判定工程により、第１の撮像カメラ１６０により撮像された車両の車番（ナンバープレート）と監視対象車両データベース４８６に格納されている監視対象情報（ナンバープレート）とが一致した場合に、スピーカ６１６などの警報手段により警報を報知する処理手順である。
【００８０】
（不審者監視装置による不審者の監視手順）
以下、図１４を参照して、上述した不審者監視システムにおける不審者の監視手順について詳細に説明する。図１４は、本実施例１の不審者監視システムによる不審者監視方法の詳細を示すフローチャートである。本フローチャートでは、駐車場１００内に据置された撮像制御装置１８０と不審者監視装置４８０との間でおこなわれる詳細な制御手順を示している。
【００８１】
すなわち、先ず、駐車場１００（図１）に車両が入場（入場）したことを車両検知センサ１４０（図１）により検知（ＯＮ）されると（ステップＳ１１０）、第１の撮像カメラ１６０により車両の撮影をおこなう（ステップＳ１２０）。具体的には、車両検知センサ１４０が車両を検知すると、この車両検知センサ１４０から撮像制御装置１８０に対して車両検知信号が通知され、この撮像制御装置１８０は、車両検知センサ１４０から車両検知信号を受信すると、撮像制御装置１８０から第１の撮像カメラ１６０に対して、撮像トリガ信号が通知される。これにより、第１の撮像カメラ１６０により、車両の前面部（ナンバープレート付近）に対する撮影がおこなわれる。
【００８２】
次いで、ステップＳ１２０により撮影したナンバープレートの画像情報（文字情報）を、不審者監視装置４８０の車番認識部４８１（図４）に送信する（ステップＳ１３０）。
【００８３】
一方、不審者監視装置４８０では、第１の撮像カメラ１６０から送信された車両に関する画像情報（文字情報）を受信すると（ステップＳ１４０肯定）、この文字情報に基づいて、車番認識部４８１により車番情報の認識処理をおこなう（ステップＳ１５０）。前述したように、この車番認識部４８１による車番情報認識処理は、第１の撮像カメラ１６０により撮像された車両の文字情報が通知されると、この文字情報に基づいて、車両のナンバープレートを読み取る処理である。
【００８４】
以下、ステップＳ１６０による車番照合処理がおこなわれる（ステップＳ１６０）。具体的に説明すると、車番認識部４８１は、車番の認識結果（読み取られたナンバープレートの番号など）および時刻（車両検知時の時刻）を車番照合部４８２（図４）に通知することにより、この車番照合部４８２では、車番認識部４８１から通知された車番情報に基づいて、車番の照合処理をおこなうもので、この車番照合部４８２による車番照合処理は、監視対象情報データベース４８６（図９）に格納されている車番情報と、ステップＳ１５０により認識された車番とを照合する処理である。
【００８５】
次いで、車番照合部４８２による車番照合処理に基づく照合結果は車番判定処理部４８３に通知され、車番判定処理部４８３が、車番照合部４８１から通知された車番（ナンバープレート）の照合結果を受信すると、以下、この車番判定処理部４８３による車番判定処理をおこなう（ステップＳ１７０）。この車番判定処理は、ステップＳ１６０により照合された車番を比較し、一致するか否かの判定をおこなう処理である。
【００８６】
以下、車番照合処理により認識された車番と、監視対象情報データベース４８６（図９）に格納されている車番との比較をおこない（ステップＳ１８０）、このステップＳ１８０の判定により、車番が一致する場合は（ステップＳ１８０肯定）、アラーム報知処理に移行する（ステップＳ１９０）。このアラーム報知処理は、音声によるアラームなどによるアラームの報知である（ステップＳ２００）。一方、ステップＳ１８０の判定により、両者の車番が一致しない場合には（ステップＳ１８０否定）、基本的には、このステップＳ１８０による処理を繰り返すものとなるが、実際には、車番が一致しない場合には（ステップＳ１８０否定）、ステップＳ１５０により認識された車番は、新規に来場した車両による車番として、この車番を来店客車番情報データベース４８５（図６）に格納し（ステップＳ１８５）、以下、全ての処理が終了となる（エンド）。
【００８７】
上記した一連の処理を経て、本実施例１では、第１の撮像カメラ１６０により撮像された映像情報に基づいて、車番認識部４８１により車両に関する車番情報であるナンバープレート番号を認識し、車番照合部４８１により車番認識部４８１により認識された車番情報と、予め不審者の所有する車両の監視対象情報を記憶した監視対象情報データベース４８６内に格納された監視対象情報との照合をおこない、車番判定処理部４８３により車番情報と監視対象情報との一致を判定するので、過去に不正行為をおこなった不審者リストや監視対象者リストに基づいた正確な判定基準によるため、不正行為をおこなう可能性の高い人物を容易且つ確実に不審者として判定することができる。
【実施例２】
【００８８】
次に、本発明に係る実施例２における不審者監視方法について説明する。図１５は、不審者監視方法の詳細を示すフローチャートを示している。本フローチャートでは、駐車場１００内に据置された撮像制御装置１８０とカメラサーバ２００と不審者監視装置４８０との間でおこなわれる詳細な制御手順を示している。なお、前述した実施例１と同様の処理については、説明を簡略して、本実施例２の処理手順について重点的に説明する。
【００８９】
ここで、前述した、実施例１に係る不審者監視方法では、第１の撮像カメラ１６０により撮像された車番情報に基づいて、不審者を特定しているが、この実施例２では、第１の撮像カメラ１６０により撮影された車両の車番情報（ナンバープレート）と、第２の撮像カメラ１７０により撮影された運転者の顔映像とを対応付けることにより、不審者の監視を容易とし、且つ、不正対策防止を向上させたことに特徴がある。
【００９０】
以下、本実施例２の詳細について、図１５のフローチャートを参照して説明する。すなわち、先ず、駐車場１００（図１）に車両が入場（入場）したことを車両検知センサ１４０（図１）により検知（ＯＮ）されると（ステップＳ１１０）、第１の撮像カメラ１６０により車両の撮影をおこなう（ステップＳ１２０）。
【００９１】
次いで、ステップＳ１２０により撮影したナンバープレートの画像情報（文字情報）を、不審者監視装置４８０の車番認識部４８１（図４）に送信する（ステップＳ１３０）。次いで、第２の撮像カメラ１７０により車両の運転者の撮影をおこなう（ステップＳ１３５）。この、第２の撮像カメラ１７０により撮影した運転者の顔映像は、カメラサーバ２００に送信される（ステップＳ１３６）。一方、カメラサーバー２００では、撮像制御装置１８０から送信された顔映像を受信すると（ステップＳ１３７肯定）、この顔映像を車番情報と対応付けてカメラサーバ２００の画像情報データベース２４０（図７）に格納する（ステップＳ１３８）。後述するように、この画像情報データベース２４０に格納された顔映像は、不審者監視装置４８０に対して、ＦＴＰ（FiLe Transfer protocol）などにより静止画像として送信される。
【００９２】
また、不審者監視装置４８０では、第１の撮像カメラ１６０から送信された車両に関する画像情報（文字情報）を受信すると（ステップＳ１４０肯定）、この文字情報に基づいて、車番認識部４８１により車番情報の認識処理をおこなう（ステップＳ１５０）。前述したように、この車番認識部４８１による車番情報認識処理は、第１の撮像カメラ１６０により撮像された車両の文字情報が通知されると、この文字情報に基づいて、車両のナンバープレートを読み取る処理である。
【００９３】
以下、ステップＳ１６０による車番照合処理がおこなわれる（ステップＳ１６０）。具体的に説明すると、車番認識部４８１は、車番の認識結果（読み取られたナンバープレートの番号など）および時刻（車両検知時の時刻）を車番照合部４８２（図４）に通知することにより、この車番照合部４８２では、車番認識部４８１から通知された車番情報に基づいて、車番の照合処理をおこなうもので、この車番照合部４８２による車番照合処理は、監視対象情報データベース４８５（図９）に格納されている車番情報と、ステップＳ１５０により認識された車番とを照合する処理である。
【００９４】
次いで、車番照合部４８２による車番照合処理に基づく照合結果は車番判定処理部４８３に通知され、車番判定処理部４８３が、車番照合部４８１から通知された車番（ナンバープレート）の照合結果を受信すると、以下、この車番判定処理部４８３による車番判定処理をおこなう（ステップＳ１７０）。この車番判定処理は、ステップＳ１６０により照合された車番を比較し、一致するか否かの判定をおこなう処理である。
【００９５】
以下、車番照合処理によりステップＳ１５０により認識された車番と、監視対象情報データベース４８６（図４）に格納されている車番との照合をおこない（ステップＳ１８０）、このステップＳ１８０の判定により、車番が一致する場合は（ステップＳ１８０肯定）、車番に対応する顔映像の抽出処理をおこなう（ステップＳ１８１）。具体的には、不審者監視装置４８０からカメラサーバ２００に対して、「顔映像取得リクエスト信号」の送信をおこなう（ステップＳ１８２）。
【００９６】
一方、カメラサーバ２００側では、不審者監視装置４８０から送信された「顔映像取得リクエスト信号」を受信すると、画像情報データベース２４０（図７）から車番情報に関連付けて、顔映像情報を抽出するとともに、この抽出した顔映像を不審者監視装置４８０に送信する（ステップＳ１３９）。以下、不審者監視装置４８０は、カメラサーバ２００から送信された顔映像を受信すると（ステップＳ１８３肯定）、アラーム報知処理に移行する（ステップＳ１９０）。
【００９７】
このアラーム報知処理は、音声によるアラームなどによるアラームの報知である（ステップＳ２００）。次いで、ステップＳ１８３により受信された顔映をプリンタ（出力部４５０）により印刷し出力する（ステップＳ２１０）。以下、遊技店３００では、ステップＳ２１０によりプリントされた不審者と判定された顔情報に基づいて、遊技店内を重点的に監視するものとなる。
【００９８】
上記した一連の処理を経て、本実施例２では、車番判定処理部４８３による判定により、車番情報と監視対象情報とが一致した場合には、出力部４５０（プリンタ）により、第２の撮像カメラ１７０により撮像された顔情報が印刷されるので、不審者の車両として判定した車両の所有者の顔情報（顔写真）に基づいて、該当する人物が不正をおこなっていないかを重点的にチェックすることが可能となる。
【００９９】
なお、本実施例１、２で説明した不審者監視システム、不審者監視方法は、予め用意されたプログラムをパーソナルコンピュータやワークステーションなどのコンピュータ（ターミナルコントローラ４００や不審者監視装置４８０に相当する装置）で実行することによって実現することができる。このプログラムは、ハードディスク、フレキシブルディスク（ＦＤ）、ＣＤ−ＲＯＭ、ＭＤ、ＤＶＤのなどのコンピュータで読み取り可能な記録媒体に記録され、コンピュータによって記録媒体から読み出されることによって実行することもできる。
【０１００】
また、実施例１、２で示した説明では、本発明に係る不審者監視システム、不審者監視方法、不審者監視プログラムをパチンコ店やパチスロ店などの遊技店に適用するものとしているが、本発明は、パチンコ店などの遊技店に限らず、例えば、デパート（百貨店）、ファミリーレストラン、コンビニエンストアなどの駐車場を備えている店舗における不審者監視システムとして好ましく適用することができる。
【０１０１】
さらに、以上説明した、本実施例１、２において、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０２】
以上のように、本発明に係る不審者監視システム、不審者監視方法、不審者監視プログラムは、店舗における不正行為を監視するための監視システムに関し、特に、パチンコ店などの遊技店で不正行為をおこなう不審者に対する不審者監視システムに適している。
【０１０３】
また、本実施例１において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０４】
なお、本実施例で説明した遊技台機種管理方法は、あらかじめ用意されたプログラムをパーソナルコンピュータやワークステーションなどのコンピュータ（ターミナルコントローラ１０やカード処理機３０に相当する装置）で実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１０５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図面の簡単な説明】
【０１０６】
【図１】本発明の実施例１に係る不審者監視システムの概要を示すシステム構成図である。
【図２】カメラサーバの内部構成を示す機能ブロック図である。
【図３】ターミナルコントローラの内部構成を示す機能ブロック図である。
【図４】不審者監視装置の内部構成を示す機能ブロック図である。
【図５】不審者管理メニュー画面の一例を示す図である。
【図６】来店客情報データベースに記憶される情報の構成例を示す図である。
【図７】画像情報データベースに記憶される情報の構成例を示す図である。
【図８】画像情報表示画面の一例を示す図である。
【図９】監視対象情報データベースに記憶される情報の構成例を示す図である。
【図１０】不正行管理データベースに記憶される情報の構成例を示す図である。
【図１１−１】常連客条件設画面の一例を示す図である。
【図１１−２】常連客条件設画面に記憶される情報の構成例を示す図である。
【図１２】アラーム対象ナンバー設定画面の一例を示す図である。
【図１３】不審者監視システムの基本制御手順（不審者監視方法）を示すフローチャートである。
【図１４】実施例１に係る不審者監視方法の制御手順の詳細を示すフローチャートである。
【図１５】実施例２に係る不審者監視方法の制御手順の詳細を示すフローチャートである。
【符号の説明】
【０１０７】
１００  駐車場
１４０  車両検知センサ
１５０  撮像システム
１６０  第一の撮像カメラ
１７０  第二の撮像カメラ
１８０  撮像制御装置
２００  カメラサーバ
２１０  制御部
２３０  記憶部
２３１、４６０  通信ＩＦ部
２４０  画像情報データベース
２４１  車両ナンバー欄
２４２  運転者映像欄
２４３  入場時刻欄
２４４  退場時刻欄
２４５  不審者フラグ欄
２４６  新規来場者フラグ欄
２４５  不審者フラグ欄
２５０  不正行為管理データベース
２５１  不正行為種別欄
２５２  時間欄
２５３  顔映像欄
２５５  車番欄
３００  遊技店
３１０  島コントローラ
３２０  遊技機
４００  ターミナルコントローラ
４１０  主制御部
４２０  モニタ
４２５  表示制御部
４３０  入力部
４４０  外部記憶部
４５０  出力部
４８０  不審者監視装置
４８１  車番認識部
４８２  車番照合部
４８３  車番判定処理部
４８５  来店客情報データベース
４８６  監視対象情報データベース
４８７  常連客情報データベース
４８８  常連客条件設定画面
５００  不審者管理メニュー
５１０  来店客車番情報ボタン
５１１  来店客画像情ボタン
５１２  監視対象情報ボタン
５１３  アラーム対象設定ボタン
５１４  常連客条件設定ボタン
５１５  不正行為管理ボタン
６１５  警報制御部
６１６  スピーカ
７００  アラーム対象ナンバー設定画面
【図１】
2005222159.tif 000003
【図２】
2005222159.tif 000004
【図３】
2005222159.tif 000005
【図４】
2005222159.tif 000006
【図５】
2005222159.tif 000007
【図６】
2005222159.tif 000008
【図７】
2005222159.tif 000009
【図８】
2005222159.tif 000010
【図９】
2005222159.tif 000011
【図１０】
2005222159.tif 000012
【図１１−１】
2005222159.tif 000013
【図１１−２】
2005222159.tif 000014
【図１２】
2005222159.tif 000015
【図１３】
2005222159.tif 000016
【図１４】
2005222159.tif 000017
【図１５】
2005222159.tif 000018